(57)【要約】  取り付け提示機能を有するチャイルドシートは、チャイルドシートにおける各部位が車に取り付けられたかどうかについての信号、或いは／及び、子供がチャイルドシートを使用しているかどうかについての信号を採集するチャイルドシート取り付け使用信号採集モジュール（７）と、前記チャイルドシート取り付け使用信号採集モジュール（７）が送信した一つ又は複数の信号を受信した場合に、一つ又は複数の対応する指示灯を点灯・消灯にして、チャイルドシートが車における各接続部位に取り付けされたかどうか、又は、子供がチャイルドシートを使用しているかどうかについて、提示する、チャイルドシート取り付け使用提示モジュール（１）と、前記チャイルドシート取り付け使用信号採集モジュール（７）と前記チャイルドシート取り付け使用提示モジュール（１）とに電力を提供する、電源を含む。また、前記チャイルドシートの取り付け提示方法が提供される。各センサーにより、安全に重要な各部品が確実に取り付けられているかどうかについての情報を採集し、提示灯により表示を行い、親や使用者らが、チャイルドシートが確実に使用されているかどうかについて便宜に早期判断するようにすることができると共に、子供の乗車の安全性がさらに向上する。【選択図】図１
2021527596.tif 000002
【特許請求の範囲】
【請求項１】
チャイルドシートにおける各部位が車に取り付けられたかどうかについての信号、或いは／及び、子供がチャイルドシートを使用しているかどうかについての信号を採集するチャイルドシート取り付け使用信号採集モジュール（７）と、
前記チャイルドシート取り付け使用信号採集モジュール（７）が送信した一つ又は複数の信号を受信した場合に、一つ又は複数の対応する指示灯を点灯・消灯にして、チャイルドシートが車における各接続部位に取り付けされたかどうか、又は、子供がチャイルドシートを使用しているかどうかについて、提示する、チャイルドシート取り付け使用提示モジュール（１）と、
前記チャイルドシート取り付け使用信号採集モジュール（７）と前記チャイルドシート取り付け使用提示モジュール（１）とに電力を提供する、電源を含む、ことを特徴とする、取り付け提示機能を有するチャイルドシート。
【請求項２】
前記チャイルドシート取り付け使用信号採集モジュール（７）は、
ａ、チャイルドシートの背もたれ（８）の支持部或いはクッションにおける圧力センサーが作動されているかどうかを示す稼働信号、
ｂ、ＩＳＯＦＩＸ手段（１２）が車座席（１３）の下部アンカー（１３１）に取り付けられると、前記ＩＳＯＦＩＸ手段（１２）内の微動スイッチが作動されているかどうかを示す稼働信号、
ｃ、肩ベルト（１６）の上方バックル（４）と下方バックル（５）とが接続されると、上方バックル（４）或いは／及び下方バックル（５）の内部の微動スイッチが作動されているかどうかを示す稼働信号、
ｄ、チャイルドシートが上部引き止めベルト手段（３）を介して車内の上部アンカー（１３２）に接続されると、上部引き止めベルト手段（３）の内部の微動スイッチが作動されているかどうかを示す稼働信号、及び、
ｆ、チャイルドシートのレッグサポートが取り付けられると、レッグサポートが車フロアに接触して押し出されるとレッグサポート内微動スイッチが作動されているかどうかを示す稼働信号、
という複数の稼働信号の少なくとも一つを利用する、ことを特徴とする、請求項1に記載の取り付け提示機能を有するチャイルドシート。
【請求項３】
転送モジュールをさらに含み、
前記チャイルドシート取り付け使用信号採集モジュール（７）は、転送モジュールにおける有線又は無線の形態に基づいて、信号を、前記チャイルドシート取り付け使用提示モジュール（１）に送信する、ことを特徴とする、請求項1又は２に記載の取り付け提示機能を有するチャイルドシート。
【請求項４】
前記チャイルドシート取り付け使用信号採集モジュール（７）は、背もたれに設けられ、  或いは／及び、
前記チャイルドシート取り付け使用提示モジュール（１）は、ヘッドサポートに設けられ、或いは／及び、
前記指示灯は、チャイルドシートのヘッドサポート（２）に取り付けられ、電源ＬＥＤ指示灯（Ｌ１）、圧力センサーＬＥＤ指示灯（Ｌ２）、ＩＳＯＦＩＸ取り付け済みＬＥＤ指示灯（Ｌ３）、バックル取り付け済みＬＥＤ指示灯（Ｌ４）、上部引き止めベルト手段取り付け済みＬＥＤ指示灯（Ｌ５）、及び、レッグサポート取り付け済みＬＥＤ指示灯（Ｌ６）のうちの一つ又は複数を含む、ことを特徴とする、請求項1から３のいずれか一つに記載の取り付け提示機能を有するチャイルドシート。
【請求項５】
前記電源は、前記チャイルドシート取り付け使用提示モジュール（１）に電力を提供するための電池（１５）を含み、或いは／及び、
前記電源は、前記チャイルドシート取り付け使用信号採集モジュール（７）に電力を提供するための電池収容部（９）とＵＳＢソケット（１０）とを含む、ことを特徴とする、請求項1から４のいずれか一つに記載の取り付け提示機能を有するチャイルドシート。
【請求項６】
電源がチャイルドシート取り付け使用提示モジュール（１）及びチャイルドシート取り付け使用信号採集モジュール（７）に電力を提供する場合に、電源ＬＥＤ指示灯（Ｌ１）の点灯により、制御板が正常状態にある旨を示し、電源による電力提供に故障がある場合に、電源ＬＥＤ指示灯（Ｌ１）を消灯させる、ステップ１と、
子供がチャイルドシートに座っている場合に、チャイルドシートの背もたれ（８）の支持部又はクッションにおける圧力センサーを作動させ、圧力センサー（６）により信号を、チャイルドシート取り付け使用信号採集モジュール（７）に送信し、前記チャイルドシート取り付け使用信号採集モジュール（７）により、有線又は無線の形態に基づいて、信号を、チャイルドシート取り付け使用提示モジュール（１）に送信し、前記チャイルドシート取り付け使用提示モジュール（１）が信号を受信すると、子供がシートに座っている旨を表示するように、圧力センサーＬＥＤ指示灯（Ｌ２）を点灯させる一方、子供がシートから離れたと、圧力センサーＬＥＤ指示灯（Ｌ２）を消灯させる、ステップ２とを含む、ことを特徴とする、チャイルドシートの取り付け提示方法。
【請求項７】
ＩＳＯＦＩＸ手段（１２）が車座席（１３）の下部アンカー（１３１）に確実に取り付けられると、ＩＳＯＦＩＸ手段（１２）の内部の微動スイッチを作動し、ＩＳＯＦＩＸ手段（１２）の内部の微動スイッチにより、信号を、チャイルドシート取り付け使用信号採集モジュール（７）に送信し、チャイルドシート取り付け使用信号採集モジュール（７）により、有線或無線の形態に基づいて信号を、チャイルドシート取り付け使用提示モジュール（１）に送信し、チャイルドシート取り付け使用提示モジュール（１）が信号を受信すると、ＩＳＯＦＩＸが取り付け済みである旨を表示するように、ＩＳＯＦＩＸ取り付け済みＬＥＤ指示灯（Ｌ３）を点灯させ、走行中における振動や他の原因により、ＩＳＯＦＩＸ手段（１２）のフックが車座席（１３）の下部アンカー（１３１）から外されると、ＩＳＯＦＩＸ手段（１２）が取り付けられていない旨を表示するように、ＩＳＯＦＩＸ取り付け済みＬＥＤ指示灯（Ｌ３）を消灯させる、ステップ３１を含む、ことを特徴とする、請求項６に記載のチャイルドシートの取り付け提示方法。
【請求項８】
肩ベルトの上方バックル（４）が確実に下方バックル（５）に取り付けられると、下方バックル（５）内部の微動スイッチを作動させ、下方バックル（５）内部の微動スイッチにより、信号をチャイルドシート取り付け使用信号採集モジュール（７）に送信し、チャイルドシート取り付け使用信号採集モジュール（７）により、有線或無線の形態に基づいて、信号をチャイルドシート取り付け使用提示モジュール（１）に送信し、チャイルドシート取り付け使用提示モジュール（１）が信号を受信すると、バックルが取り付け済みである旨を表示するようにバックル取り付け済みＬＥＤ指示灯（Ｌ４）を点灯させ、走行中における振動や他の原因により、下方バックルが外されると、バックルが取り付けられていない旨を表示するように、バックル取り付け済みＬＥＤ指示灯（Ｌ４）を消灯させる、ステップ３２を含むことを特徴とする、請求項６又は７に記載のチャイルドシートの取り付け提示方法。
【請求項９】
上部引き止めベルト手段（３）が確実に車座席（１３）の上部アンカー（１３２）に取り付けられ、所定のテンションまで引っ張られると、上部引き止めベルト手段（３）の内部の微動スイッチを作動させ、上部引き止めベルト手段（３）内部の微動スイッチにより、信号を、チャイルドシート取り付け使用信号採集モジュール（７）に送信し、チャイルドシート取り付け使用信号採集モジュール（７）により、有線或無線の形態に基づいて、信号を、チャイルドシート取り付け使用提示モジュール（１）に送信し、チャイルドシート取り付け使用提示モジュール（１）が信号を受信すると、上部引き止めベルト手段（３）が取り付け済みである旨を表示するように、上部引き止めベルト手段（３）取り付け済みＬＥＤ指示灯（Ｌ５）を点灯させ、走行中における振動や他の原因により、上部引き止めベルト手段（３）のフック（３１）が車内の上部アンカー（１３２）から外され、又は、上部引き止めベルト手段（３）が緩んで所定のテンションに達していない場合に、上部引き止めベルト手段（３）が取り付けられていない旨を表示するように、上部引き止めベルト手段（３）取り付け済みＬＥＤ指示灯（Ｌ５）を消灯させる、ステップ３３を含む、ことを特徴とする、請求項６から８のいずれか一つに記載のチャイルドシートの取り付け提示方法。
【請求項１０】
レッグサポートが取り付けられると、レッグサポートの一方端が車フロアを押圧して所定の圧力値に達している場合に、レッグサポート内の微動スイッチを作動させ、レッグサポート内の微動スイッチにより、信号をチャイルドシート取り付け使用信号採集モジュール（７）に送信し、チャイルドシート取り付け使用信号採集モジュール（７）により、有線或無線の形態に基づいて、信号をチャイルドシート取り付け使用提示モジュール（１）に送信し、チャイルドシート取り付け使用提示モジュール（１）が信号を受信すると、レッグサポートが取り付けられた旨を表示するように、レッグサポート取り付け済みＬＥＤ指示灯（Ｌ６）を点灯させ、走行中における振動や他の原因により、レッグサポートが車フロアから分離し、又は、両者の圧力値が所定値に達していない場合に、レッグサポートが取り付けられた旨を表示するように、レッグサポート取り付け済みＬＥＤ指示灯（Ｌ６）を消灯させる、ステップ３４を含む、ことを特徴とする、請求項６から９のいずれか一つに記載のチャイルドシートの取り付け提示方法。
【発明の詳細な説明】
【技術分野】
【０００１】
本発明は、チャイルドシートに関し、時に、取り付け提示機能を有するチャイルドシート及びチャイルドシートの取り付け提示方法に関する。
【背景技術】
【０００２】
車におけるチャイルドシートは、年少者拘束システムＣＲＳ（Ｃｈｉｌｄ  Ｒｅｓｔｒａｉｎｔ  Ｓｙｓｔｅｍ）とも呼ばれており、異なる年齢別（又は体重別）の子供向けに設計され、車内に取り付けられ、子供の乗車の安全性が効果良く向上するシートである。欧州規制「ＥＣＥ  Ｒ４４／０３」には、チャイルドシートは、自動車に固定して取り付けられ、バックル付けのベルトや柔軟性を持つ部品、調整機構、付属品などからなる子供安全保護システムであるという定義が規定されている。また、それは、ポータブルベッド、ベビーバスケット、補助シート、衝突防護物などの付属装置と組み合わせて構成することができる。車は、衝突したり急減速したりするなどの場合に、子供に対する衝撃力を緩和したり、子供の身体の移動を制限したりすることにより、子供へのダメージを軽減し、子供の乗車の安全性を確保することができる。
【０００３】
従来のチャイルドシートは、直観的、確実、かつ、主動的に、子供がシートに座っているか、ＩＳＯＦＩＸ手段が確実に取り付けられるか、ベルトにおける上方と下方とのバックルが確実に接続されるか、及び、上部引き止めベルト手段が確実に車座席の上部アンカーに取り付けられるかなどについての情報を親や関係者に提供できず、完全に使用事故を徹底的に避けることができない。
【発明の概要】
【発明が解決しようとする課題】
【０００４】
本発明は、取り付け提示機能を有するチャイルドシート及びその取り付け提示方法を提供し、従来のチャイルドシートにより、直観的、確実、かつ、主動的に、子供がシートに座っているか、ＩＳＯＦＩＸ手段が確実に取り付けられるか、ベルトにおける上方と下方とのバックルが確実に接続されるか、及び、上部引き止めベルト手段が確実に車座席の上部アンカーに取り付けられるかなどについての情報を親や関係者に提供できず、完全に使用事故を徹底的に避けることができないという技術的問題を解決することを目的とする。
【課題を解決するための手段】
【０００５】
上記した従来技術に存在している技術的問題を解決するためには、本発明は、以下の技術的手段を採用している。
チャイルドシートにおける各部位が車に取り付けられたかどうかについての信号、或いは／及び、子供がチャイルドシートを使用しているかどうかについての信号を採集するチャイルドシート取り付け使用信号採集モジュール（７）と、前記チャイルドシート取り付け使用信号採集モジュール（７）が送信した一つ又は複数の信号を受信した場合に、一つ又は複数の対応する指示灯を点灯・消灯にして、チャイルドシートが車における各接続部位に取り付けされたかどうか、又は、子供がチャイルドシートを使用しているかどうかについて、提示する、チャイルドシート取り付け使用提示モジュール（１）と、前記チャイルドシート取り付け使用信号採集モジュール（７）と前記チャイルドシート取り付け使用提示モジュール（１）とに電力を提供する、電源を含む、ことを特徴とする、取り付け提示機能を有するチャイルドシート。
【０００６】
好適には、前記チャイルドシート取り付け使用信号採集モジュール（７）は、ａ、チャイルドシートの背もたれ（８）の支持部或いはクッションにおける圧力センサーが作動されているかどうかを示す稼働信号、ｂ、ＩＳＯＦＩＸ手段（１２）が車座席（１３）の下部アンカー（１３１）に取り付けられると、前記ＩＳＯＦＩＸ手段（１２）内の微動スイッチが作動されているかどうかを示す稼働信号、ｃ、肩ベルト（１６）の上方バックル（４）と下方バックル（５）とが接続されると、上方バックル（４）或いは／及び下方バックル（５）の内部の微動スイッチが作動されているかどうかを示す稼働信号、ｄ、チャイルドシートが上部引き止めベルト手段（３）を介して車内の上部アンカー（１３２）に接続されると、上部引き止めベルト手段（３）の内部の微動スイッチが作動されているかどうかを示す稼働信号、及び、ｆ、チャイルドシートのレッグサポートが取り付けられると、レッグサポートが車フロアに接触して押し出されるとレッグサポート内微動スイッチが作動されているかどうかを示す稼働信号、という複数の稼働信号の少なくとも一つを利用する。
【０００７】
好適には、転送モジュールをさらに含み、前記チャイルドシート取り付け使用信号採集モジュール（７）は、転送モジュールにおける有線又は無線の形態に基づいて、信号を、前記チャイルドシート取り付け使用提示モジュール（１）に送信する。
【０００８】
好適には、前記チャイルドシート取り付け使用信号採集モジュール（７）は、背もたれに設けられ、或いは／及び、前記チャイルドシート取り付け使用提示モジュール（１）は、ヘッドサポートに設けられ、或いは／及び、前記指示灯は、チャイルドシートのヘッドサポート（２）に取り付けられ、電源ＬＥＤ指示灯（Ｌ１）、圧力センサーＬＥＤ指示灯（Ｌ２）、ＩＳＯＦＩＸ取り付け済みＬＥＤ指示灯（Ｌ３）、バックル取り付け済みＬＥＤ指示灯（Ｌ４）、上部引き止めベルト手段取り付け済みＬＥＤ指示灯（Ｌ５）、及び、レッグサポート取り付け済みＬＥＤ指示灯（Ｌ６）のうちの一つ又は複数を含む。
【０００９】
好適には、前記電源は、前記チャイルドシート取り付け使用提示モジュール（１）に電力を提供するための電池（１５）を含み、或いは／及び、前記電源は、前記チャイルドシート取り付け使用信号採集モジュール（７）に電力を提供するための電池収容部（９）とＵＳＢソケット（１０）とを含む。
【００１０】
電源がチャイルドシート取り付け使用提示モジュール（１）及びチャイルドシート取り付け使用信号採集モジュール（７）に電力を提供する場合に、電源ＬＥＤ指示灯（Ｌ１）の点灯により、前記制御板が正常状態にある旨を示し、電源による電力提供に故障がある場合に、電源ＬＥＤ指示灯（Ｌ１）を消灯させる、ステップ１と、子供がチャイルドシートに座っている場合に、チャイルドシートの背もたれ（８）の支持部又はクッションにおける圧力センサーを作動させ、圧力センサー（６）により前記信号を、チャイルドシート取り付け使用信号採集モジュール（７）に送信し、前記チャイルドシート取り付け使用信号採集モジュール（７）により、有線又は無線の形態に基づいて、信号を、チャイルドシート取り付け使用提示モジュール（１）に送信し、前記チャイルドシート取り付け使用提示モジュール（１）が信号を受信すると、子供がシートに座っている旨を表示するように、圧力センサーＬＥＤ指示灯（Ｌ２）を点灯させる一方、子供がシートから離れたと、圧力センサーＬＥＤ指示灯（Ｌ２）を消灯させる、ステップ２とを含む、ことを特徴とする、チャイルドシートの取り付け提示方法。
【００１１】
好適には、ＩＳＯＦＩＸ手段（１２）が車座席（１３）の下部アンカー（１３１）に確実に取り付けられると、ＩＳＯＦＩＸ手段（１２）の内部の微動スイッチを作動し、ＩＳＯＦＩＸ手段（１２）の内部の微動スイッチにより、信号を、チャイルドシート取り付け使用信号採集モジュール（７）に送信し、チャイルドシート取り付け使用信号採集モジュール（７）により、有線或無線の形態に基づいて信号を、チャイルドシート取り付け使用提示モジュール（１）に送信し、チャイルドシート取り付け使用提示モジュール（１）が信号を受信すると、ＩＳＯＦＩＸが取り付け済みである旨を表示するように、ＩＳＯＦＩＸ取り付け済みＬＥＤ指示灯（Ｌ３）を点灯させ、走行中における振動や他の原因により、ＩＳＯＦＩＸ手段（１２）のフックが車座席（１３）の下部アンカー（１３１）から外されると、ＩＳＯＦＩＸ手段（１２）が取り付けられていない旨を表示するように、ＩＳＯＦＩＸ取り付け済みＬＥＤ指示灯（Ｌ３）を消灯させる、ステップ３１を含む。
【００１２】
好適には、肩ベルトの上方バックル（４）が確実に下方バックル（５）に取り付けられると、下方バックル（５）内部の微動スイッチを作動させ、下方バックル（５）内部の微動スイッチにより、信号をチャイルドシート取り付け使用信号採集モジュール（７）に送信し、チャイルドシート取り付け使用信号採集モジュール（７）により、有線或無線の形態に基づいて、信号をチャイルドシート取り付け使用提示モジュール（１）に送信し、チャイルドシート取り付け使用提示モジュール（１）が信号を受信すると、バックルが取り付け済みである旨を表示するようにバックル取り付け済みＬＥＤ指示灯（Ｌ４）を点灯させ、走行中における振動や他の原因により、下方バックルが外されると、バックルが取り付けられていない旨を表示するように、バックル取り付け済みＬＥＤ指示灯（Ｌ４）を消灯させる、ステップ３２を含む。
【００１３】
好適には、上部引き止めベルト手段（３）が確実に車座席（１３）の上部アンカー（１３２）に取り付けられ、所定のテンションまで引っ張られると、上部引き止めベルト手段（３）の内部の微動スイッチを作動させ、上部引き止めベルト手段（３）内部の微動スイッチにより、信号を、チャイルドシート取り付け使用信号採集モジュール（７）に送信し、チャイルドシート取り付け使用信号採集モジュール（７）により、有線或無線の形態に基づいて、信号を、チャイルドシート取り付け使用提示モジュール（１）に送信し、チャイルドシート取り付け使用提示モジュール（１）が信号を受信すると、上部引き止めベルト手段（３）が取り付け済みである旨を表示するように、上部引き止めベルト手段（３）取り付け済みＬＥＤ指示灯（Ｌ５）を点灯させ、走行中における振動や他の原因により、上部引き止めベルト手段（３）のフック（３１）が車内の上部アンカー（１３２）から外され、又は、上部引き止めベルト手段（３）が緩んで所定のテンションに達していない場合に、上部引き止めベルト手段（３）が取り付けられていない旨を表示するように、上部引き止めベルト手段（３）取り付け済みＬＥＤ指示灯（Ｌ５）を消灯させる、ステップ３３を含む。
【００１４】
好適には、レッグサポートが取り付けられると、レッグサポートの一方端が車フロアを押圧して所定の圧力値に達している場合に、レッグサポート内の微動スイッチを作動させ、レッグサポート内の微動スイッチにより、信号をチャイルドシート取り付け使用信号採集モジュール（７）に送信し、チャイルドシート取り付け使用信号採集モジュール（７）により、有線或無線の形態に基づいて、信号をチャイルドシート取り付け使用提示モジュール（１）に送信し、チャイルドシート取り付け使用提示モジュール（１）が信号を受信すると、レッグサポートが取り付けられた旨を表示するように、レッグサポート取り付け済みＬＥＤ指示灯（Ｌ６）を点灯させ、走行中における振動や他の原因により、レッグサポートが車フロアから分離し、又は、両者の圧力値が所定値に達していない場合に、レッグサポートが取り付けられた旨を表示するように、レッグサポート取り付け済みＬＥＤ指示灯（Ｌ６）を消灯させる、ステップ３４を含む。
【発明の効果】
【００１５】
当該取り付け提示機能を有するチャイルドシート及びその取り付け提示方法は、以下の有益な効果を有している。
【００１６】
本発明は、各センサーにより、安全に重要な各部品が確実に取り付けられているかどうかについての情報を採集し、提示灯により表示を行い、親や使用者らが、チャイルドシートが確実に使用されているかどうかについて便宜に早期判断するようにすることができると共に、子供の乗車の安全性がさらに向上する。
【図面の簡単な説明】
【００１７】
【図１】本発明に係る取り付け提示機能を有するチャイルドシートの分解図である。
【図２】本発明に係る取り付け提示機能を有するチャイルドシートの正面図である。
【図３】本発明に係るチャイルドシートにおける指示灯の分布と使用の図である。
【図４】本発明に係る取り付け提示機能を有するチャイルドシートの使用状態の模式図である。
【発明を実施するための形態】
【００１８】
以下に、図１乃至図４を参照しながら、本発明を詳しく説明していく。
【００１９】
図１に示されているように、チャイルドシート取り付け使用提示モジュール１、ヘッドサポート後蓋１４及び電池１５は、ヘッドサポート２に取り付けられ、ヘッドサポート２は、背もたれ８の上部に取り付けられ、肩ベルト１６は、背もたれ８に取り付けられ、肩ベルト１６は、上方バックル４の穴を介して、上方バックル４が背もたれ８に取り付けられ、下方バックル５は、背もたれ８に取り付けられ、圧力センサー６は、背もたれ８の子供支持部に取り付けられ、チャイルドシート取り付け使用信号採集モジュール７は、背もたれ８の内部に取り付けられ、ベース１１は、背もたれ８の下部に取り付けられ、電池収容部９、ＵＳＢソケット１０及びＩＳＯＦＩＸ手段１２は、ベース１１に取り付けられる。チャイルドシート全体は、車座席１３に取り付けられ、上部引き止めベルト手段３の一方端は、背もたれ８に取り付けられる。
【００２０】
接続形態は、以下の通りである。チャイルドシート取り付け使用提示モジュール１と電池１５の間に、電線により電気エネルギーを転送する。下方バックル５における微動スイッチ、圧力センサー６、上部引き止めベルト手段３における引張センサー、ＩＳＯＦＩＸ手段１２における微動スイッチ、電池収容部９、ＵＳＢソケット１０は、それぞれ、チャイルドシート取り付け使用信号採集モジュール７に、電線を介して接続される。チャイルドシート取り付け使用信号採集モジュール７とチャイルドシート取り付け使用提示モジュール１とは、ブルートゥース（登録商標）や他の無線形態又は導電テープなどにより接続され、チャイルドシート取り付け使用信号採集モジュール７の状態信号をチャイルドシート取り付け使用提示モジュール１に送信する。電池１５は、チャイルドシート取り付け使用提示モジュール１に電力を提供し、電池収容部９とＵＳＢソケット１０とは、チャイルドシート取り付け使用信号採集モジュール７に電力を提供する。
【００２１】
稼働の原理は、以下の通りである。電池収容部１１に電力がある電池を設置し、又は、ＵＳＢソケット９を設けて電力を提供し、電池１５が正常に電力を提供すると、システムが開始して稼働する。この時には、電源ＬＥＤ指示灯Ｌ１が、図３に示されているように点灯され、電源がオンにされることを表示し、電源が電力を提供する際に故障があると電源ＬＥＤ指示灯Ｌ１を消灯させる。電源がオンにされる場合には、子供がチャイルドシートに座っていると、圧力センサー６を作動させ、圧力センサー６により信号をチャイルドシート取り付け使用信号採集モジュール７に送信し、チャイルドシート取り付け使用信号採集モジュール７により、有線或無線の形態に基づいて、信号をチャイルドシート取り付け使用提示モジュール１に送信し、チャイルドシート取り付け使用提示モジュール１が信号を受信すると、子供がシートに座っている旨を表示するように、圧力センサーＬＥＤ指示灯Ｌ２を点灯させ、子供がシートから離れたと、圧力センサーＬＥＤ指示灯Ｌ２を消灯させる。
【００２２】
子供が座っていると、システムは、各手段の取り付け状態を検測して対応するランプを点灯して提示を行う。ＩＳＯＦＩＸ手段１２が確実に車座席１３の下部アンカー１３１に取り付けられ、図４に示されているように、ＩＳＯＦＩＸ手段１２の内部の微動スイッチを作動させ、ＩＳＯＦＩＸ手段１２の内部の微動スイッチにより、信号をチャイルドシート取り付け使用信号採集モジュール７に送信し、チャイルドシート取り付け使用信号採集モジュール７により、有線或無線の形態に基づいて、信号を、チャイルドシート取り付け使用提示モジュール１に送信し、チャイルドシート取り付け使用提示モジュール１が信号を受信すると、ＩＳＯＦＩＸが取り付け済みである旨を表示するように、ＩＳＯＦＩＸ取り付け済みＬＥＤ指示灯Ｌ３を点灯させ、走行中における振動や他の原因により、ＩＳＯＦＩＸ手段１２のフックが車座席１３の下部アンカー１３１から外されると、ＩＳＯＦＩＸが取り付けられていない旨を表示するように、ＩＳＯＦＩＸ取り付け済みＬＥＤ指示灯Ｌ３を消灯させる。
【００２３】
上方バックル４が確実に下方バックル５に取り付けられると、図２に示されているように、下方バックル５内部の微動スイッチを作動させ、下方バックル５の内部の微動スイッチにより、信号を、チャイルドシート取り付け使用信号採集モジュール７に送信し、チャイルドシート取り付け使用信号採集モジュール７により、有線或無線の形態に基づいて、信号をチャイルドシート取り付け使用提示モジュール１に送信し、チャイルドシート取り付け使用提示モジュール１が信号を受信すると、バックルが取り付け済みである旨を表示するように、バックル取り付け済みＬＥＤ指示灯Ｌ４を点灯させ、走行中における振動や他の原因により、下方バックルが外されると、バックルが取り付けられていない旨を表示するように、バックル取り付け済みＬＥＤ指示灯Ｌ４を消灯させる。
【００２４】
上部引き止めベルト手段３が確実に車座席１３の上部アンカー１３２に取り付けられ、所定のテンションまで引っ張られると、図４に示されているように、上部引き止めベルト手段３の内部の微動スイッチを作動させ、上部引き止めベルト手段３の内部の微動スイッチにより、信号をチャイルドシート取り付け使用信号採集モジュール７に送信し、チャイルドシート取り付け使用信号採集モジュール７により、有線或無線の形態に基づいて、信号を、チャイルドシート取り付け使用提示モジュール１に送信し、チャイルドシート取り付け使用提示モジュール１が信号を受信すると、図３に示されているように、上部引き止めベルト手段３が取り付け済みである旨を表示するように、上部引き止めベルト手段３取り付け済みＬＥＤ指示灯Ｌ５を点灯させ、走行中における振動や他の原因により、上部引き止めベルト手段３のフック３１が車内の上部アンカー１３２から外され、又は、上部引き止めベルト手段３が緩んで所定のテンションに達していない場合に、上部引き止めベルト手段３が取り付けられていない旨を表示するように、図４に示されているように、上部引き止めベルト手段３取り付け済みＬＥＤ指示灯Ｌ５を消灯させる。
【００２５】
レッグサポートが取り付けられると、レッグサポートの一方端が車フロアを押圧して所定の圧力値に達している場合に、レッグサポート内の微動スイッチを作動させ、レッグサポート内の微動スイッチにより、信号をチャイルドシート取り付け使用信号採集モジュール７に送信し、チャイルドシート取り付け使用信号採集モジュール７により、有線又は無線の形態に基づいて、信号をチャイルドシート取り付け使用提示モジュール１に送信し、チャイルドシート取り付け使用提示モジュール１が信号を受信すると、図３に示されているように、レッグサポートが取り付け済みである旨を表示するように、レッグサポート取り付け済みＬＥＤ指示灯Ｌ６を点灯させ、走行中における振動や他の原因により、レッグサポートが車フロアから分離し、又は、両者の圧力値が所定値に達していない場合に、レッグサポートが取り付けられていない旨を表示するように、レッグサポート取り付け済みＬＥＤ指示灯Ｌ６を消灯させる。
【００２６】
以上には、図面を参照しながら、本発明を例示的に説明したが、本発明の実施が、上記した形態に限定されていないことは明らかである。本発明の方法の発想及び技術的手段を用いてなされた如何なる改良、又は、改良がないものの本発明の発想及び技術的手段をそのまま他の場合に応用してなされたものは、いずれも、本発明の保護範囲に属されている。
【符号の説明】
【００２７】
１    チャイルドシート取り付け使用提示モジュール
２    ヘッドサポート
３    上部引き止めベルト手段
３１    フック
４    上方バックル
５    下方バックル
６    圧力センサー
７    チャイルドシート取り付け使用信号採集モジュール
８    背もたれ
９    電池収容部
１０    ＵＳＢソケット
１１    ベース
１２    ＩＳＯＦＩＸ手段
１３    車座席
１３１    下部アンカー
１３２    上部アンカー
１４    ヘッドサポート後蓋
１５    電池
１６    肩ベルト
Ｌ１    電源ＬＥＤ指示灯
Ｌ２    圧力センサーＬＥＤ指示灯
Ｌ３    ＩＳＯＦＩＸ取り付け済みＬＥＤ指示灯
Ｌ４    バックル取り付け済みＬＥＤ指示灯
Ｌ５    上部引き止めベルト手段取り付け済みＬＥＤ指示灯
Ｌ６    レッグサポート取り付け済みＬＥＤ指示灯
【図１】
2021527596.tif 000003
【図２】
2021527596.tif 000004
【図３】
2021527596.tif 000005
【図４】
2021527596.tif 000006
【国際調査報告】
2021527596.tif 000007
2021527596.tif 000008
2021527596.tif 000009
2021527596.tif 000010
2021527596.tif 000011